(57)【要約】【課題】レゾルバが取り付けられるモータ側に温度検出器の設置及び温度検出用の導線の配線作業を要することなく、モータの温度を計測することが可能なレゾルバのステータ構造を提供することを目的とする。【解決手段】本発明に係るレゾルバのステータ構造は、半径方向に沿って内方に突出する固定磁極１０を有する略輪状のステータコア２と、ステータコア２を挟むようにステータコア２と略同心に設けられた略輪状の第１、第２絶縁部材４，５と、第１、第２絶縁部材４，５のいずれか一方の一部分に設けられ、固定磁極１０に巻回されるステータ巻線８の端線を接続するための複数のレゾルバ信号用端子ピン２１を備えた端子台１２と、を含むレゾルバのステータ１において、第１、第２絶縁部材４，５のいずれか一方に、モータの温度を検出するための温度検出部４０を備えることを特徴とする。【選択図】図１
2010127834.tif 000002
【特許請求の範囲】
【請求項１】
半径方向に沿って内方に突出する固定磁極を有する略輪状のステータコアと、該ステータコアを挟むように前記ステータコアと略同心に設けられた略輪状の第１、第２絶縁部材と、前記固定磁極に巻回されるステータ巻線の端線を接続するための複数のレゾルバ信号用端子ピンを備えた端子台と、を含むレゾルバのステータにおいて、前記第１、第２絶縁部材のいずれか一方に、モータの温度を検出するための温度検出部を備えることを特徴とするレゾルバのステータ構造。
【請求項２】
前記温度検出部は、前記ステータの軸方向に沿って延在して、前記ステータから突出することを特徴とする請求項１に記載のレゾルバのステータ構造。
【請求項３】
前記第１、第２絶縁部材のいずれか一方に保持部を備え、前記第１、第２絶縁部材とは別体に設けられた前記温度検出部が前記保持部に保持されることを特徴とする請求項１または２に記載のレゾルバのステータ構造。
【請求項４】
前記保持部は、前記第１、第２絶縁部材と一体に形成されていることを特徴とする請求項３に記載のレゾルバのステータ構造。
【請求項５】
前記温度検出部は、サーミスタと、該サーミスタのリード線に接続される接続端子と、前記サーミスタ及び前記リード線と前記接続端子との接続部を囲むハウジングとを含み、前記保持部は、温度検出信号用外部接続端子に接続された温度検出部用接続部を含んでおり、前記温度検出部は、該温度検出部の前記接続端子と前記保持部の前記温度検出部用接続部とを接合することによって、前記保持部に保持されることを特徴とする請求項３または４に記載のレゾルバのステータ構造。
【請求項６】
前記温度検出部は、前記ハウジングに充填され、前記サーミスタを前記ハウジング内に密封するための樹脂をさらに含むことを特徴とする請求項５に記載のレゾルバのステータ構造。
【請求項７】
前記複数のレゾルバ信号用端子ピンのそれぞれと一体に形成され、前記端子台から露出するレゾルバ信号用外部接続端子をさらに備え、前記温度検出信号用外部接続端子は、前記レゾルバ信号用外部接続端子と揃えられて前記端子台から露出することを特徴とする請求項５または６に記載のレゾルバのステータ構造。
【請求項８】
前記端子台は、前記温度検出信号用外部接続端子と一体に形成された温度検出信号用端子ピンをさらに備えることを特徴とする請求項７に記載のレゾルバのステータ構造。
【請求項９】
前記端子台は、前記第１、第２絶縁部材のいずれか一方の一部分の周上に形成され、前記ステータの軸方向に沿って延設されていることを特徴とする請求項１から８のいずれか１項に記載のレゾルバのステータ構造。
【請求項１０】
前記端子台は、前記第１、第２絶縁部材のいずれか一方と一体に形成されることを特徴とする請求項９に記載のレゾルバのステータ構造。
【発明の詳細な説明】
【技術分野】
【０００１】
本発明は、レゾルバのステータ構造に関し、特に、レゾルバが取り付けられるモータの温度を計測する温度検出部を備えたレゾルバのステータ構造に関する。
【背景技術】
【０００２】
一般に、モータは、その動作によりコイル等の温度が上昇するため、コイルの短絡等の不具合を発生させることなくモータを適正に動作させるには、動作中の温度を計測・監視することが望ましい。従来、モータの温度の計測は、モータ内の計測を行いたい位置にサーミスタ等の温度検出器を設置し、温度検出器から延びてモータ内に配線された導線をモータに設けられた専用の端子に接続し、その端子から計測された温度を電気信号として外部に取り出すことによって行われている（例えば、特許文献１参照）。
【０００３】
特許文献１に開示されたモータを、図９に示す。図９に示すモータは、ロータ１３０、ロータ１３０の外側の回転体１３２、回転体１３２の回転を駆動する動力供給部１３４を備え、回転体１３２の軸１３２ａには、レゾルバ１５０が取り付けられている。回転体１３２にはコイル１３３が設けられ、コイル１３３に供給される３相交流電流により発生する回転磁界とロータ１３０が備える永久磁石１３１との作用により、ロータ１３０が回転する。
【０００４】
このモータは、さらに、回転体１３２のコイル１３３の温度を監視するため、コイル１３３の端部１３３ａ、１３３ｂにサーミスタ１３６、１３７が設置されている。計測された温度は、例えばサーミスタ１３６の場合、一端がサーミスタ１３６に接続された導線１３８、１４０の他端を軸１３２ａの表面に設けられたスリップリング１４２に接続し、さらに、スリップリング１４２に接触する摺動子１４８から電気信号として外部に取り出される。
【０００５】
尚、図９に示すモータは、ロータ１３０を回転させるための磁界を発生するコイル１３３が、動力供給部１３４によって回転する回転体１３２に巻回された構成の例であるが、上述したような、温度計測の方法は、モータのハウジング等に固定されたステータにコイルを巻回するモータの場合も、（例えば、モータに設ける温度計測用の端子をスリップリングと摺動子の組合せとする必要がないこと等を除いて）基本的には同様のものである。
【０００６】
【特許文献１】特開２０００−１４６７１３号公報
【発明の開示】
【発明が解決しようとする課題】
【０００７】
上述したように、従来、動作中のモータの温度を計測するためには、モータに温度検出用の端子を設けるとともに、モータ内へのサーミスタ等の温度検出器の設置作業、及び、温度検出器からの出力信号を取り出す導線の配線作業を要することになり、これがモータのコストを増大させる要因となるという問題があった。
【０００８】
本発明は、上記課題に鑑みてなされたものであり、レゾルバが取り付けられるモータ側に温度検出器の設置及び温度検出用の導線の配線作業を要することなく、モータの温度を計測することが可能なレゾルバのステータ構造を提供することを目的とする。
【課題を解決するための手段】
【０００９】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【００１０】
（１）半径方向に沿って内方に突出する固定磁極を有する略輪状のステータコアと、該ステータコアを挟むように前記ステータコアと略同心に設けられた略輪状の第１、第２絶縁部材と、前記固定磁極に巻回されるステータ巻線の端線を接続するための複数のレゾルバ信号用端子ピンを備えた端子台と、を含むレゾルバのステータにおいて、前記第１、第２絶縁部材のいずれか一方に、モータの温度を検出するための温度検出部を備えることを特徴とするレゾルバのステータ構造（請求項１）。
【００１１】
（２）（１）項に記載のレゾルバのステータ構造において、前記温度検出部は、前記ステータの軸方向に沿って延在して、前記ステータから突出することを特徴とするレゾルバのステータ構造（請求項２）。
【００１２】
（３）（１）または（２）項に記載のレゾルバのステータ構造において、前記第１、第２絶縁部材のいずれか一方に保持部を備え、前記第１、第２絶縁部材とは別体に設けられた前記温度検出部が前記保持部に保持されることを特徴とするレゾルバのステータ構造（請求項３）。
【００１３】
（４）（３）項に記載のレゾルバのステータ構造において、前記保持部は、前記第１、第２絶縁部材と一体に形成されていることを特徴とするレゾルバのステータ構造（請求項４）。
【００１４】
（５）（３）または（４）項に記載のレゾルバのステータ構造において、前記温度検出部は、サーミスタと、該サーミスタのリード線に接続される接続端子と、前記サーミスタ及び前記リード線と前記接続端子との接続部を囲むハウジングとを含み、前記保持部は、温度検出信号用外部接続端子に接続された温度検出部用接続部を含んでおり、前記温度検出部は、該温度検出部の前記接続端子と前記保持部の前記温度検出部用接続部とを接合することによって、前記保持部に保持されることを特徴とするレゾルバのステータ構造（請求項５）。
【００１５】
（６）（５）項に記載のレゾルバのステータ構造において、前記温度検出部は、前記ハウジングに充填され、前記サーミスタを前記ハウジング内に密封するための樹脂をさらに含むことを特徴とするレゾルバのステータ構造（請求項６）。
【００１６】
（７）（５）または（６）項に記載のレゾルバのステータ構造において、前記複数のレゾルバ信号用端子ピンのそれぞれと一体に形成され、前記端子台から露出するレゾルバ信号用外部接続端子をさらに備え、前記温度検出信号用外部接続端子は、前記レゾルバ信号用外部接続端子と揃えられて前記端子台から露出することを特徴とするレゾルバのステータ構造（請求項７）。
【００１７】
（８）（７）項に記載のレゾルバのステータ構造において、前記端子台は、前記温度検出信号用外部接続端子と一体に形成された温度検出信号用端子ピンをさらに備えることを特徴とするレゾルバのステータ構造（請求項８）。
【００１８】
（９）（１）から（８）のいずれか１項に記載のレゾルバのステータ構造において、前記端子台は、前記第１、第２絶縁部材のいずれか一方の一部分の周上に形成され、前記ステータの軸方向に沿って延設されていることを特徴とするレゾルバのステータ構造（請求項９）。
【００１９】
（１０）（９）項に記載のレゾルバのステータ構造において、前記端子台は、前記第１、第２絶縁部材のいずれか一方と一体に形成されることを特徴とするレゾルバのステータ構造（請求項１０）。
【発明の効果】
【００２０】
本発明に係るレゾルバのステータ構造によれば、モータに取り付けられるレゾルバがモータの温度を検出するための温度検出部を備えているため、モータ側に温度検出器の設置及び温度検出用の導線の配線作業を要することなく、また、モータに対して温度検出用の端子等を設けることもなく、単に本発明に係るステータ構造を備えたレゾルバを取り付けることによって、モータの回転位置を検出するととともに、モータの温度を計測することが可能となる。
【発明を実施するための最良の形態】
【００２１】
以下、図面を参照して本発明の実施形態について説明する。
図１、図２は、それぞれ、本発明の第１の実施形態におけるステータ構造を備えたレゾルバのステータ１を示す斜視図及び正面図である。
【００２２】
本実施形態におけるステータ１は、略輪状のステータコア２と、ステータコア２を上下両側から挟むようにステータコア２と略同心に設けられた略輪状の第１、第２絶縁部材４、５とを備えて、全体として略輪状に構成されている。ステータコア２は、半径方向に沿って内方に突出するとともに所定の間隔で周方向に配置された複数の固定磁極１０を有しており、各固定磁極１０は先端に磁極歯６を備えている。また、第１、第２絶縁部材４、５は、各固定磁極１０を上下両側から挟むように半径方向に沿って内方に突出する磁極絶縁部７、９を備え、ステータ巻線８が、磁極絶縁部７、９を介して各固定磁極１０に巻回されている。
【００２３】
また、ステータ１には、その第１絶縁部材４の周上の一部分に第１絶縁部材４と一体に端子台１２が形成されており、端子台１２には、複数のレゾルバ信号用端子ピン２１が植設されている。また、端子台１２は、第１絶縁部材４の周上に、ステータ１の軸方向に沿って延設され、レゾルバ信号用端子ピン２１は、同様にステータの軸方向に沿って延びるように、端子台１２に植設されている。
【００２４】
ここで、端子台１２が、第１絶縁部材４の周上に形成される点について詳述すれば、次の通りである。本実施形態において、端子台１２は、略輪状をなす第１絶縁部材４の周方向に沿って形成され、加えて、端子台１２の外周面１２ａが、第１絶縁部材４の外周面４ａ（及び、符号を省略する第２絶縁部材５の同様の外周面）からステータ１の半径方向に沿って外方に突出することがなく、かつ、端子台１２の内周面１２ｂが、第１絶縁部材４の内周面４ｂ（及び、符号を省略する第２絶縁部材５の内周面）からステータ１の半径方向に沿って内方に突出することがないように形成されているものである。
【００２５】
すなわち、本実施形態におけるステータ１は、少なくとも端子台１２がステータ１の外径以上に外方に突出することはなく、さらに、端子台１２がステータ１の内径以内に内方に突出して、固定磁極１０の上方に張り出すこともないように構成されている。
【００２６】
また、ステータ１の第２絶縁部材５には、固定磁極１０間に設けられる周知の渡りピン１４に加えて、端子台１２の下方側の部分に、レゾルバ信号用端子ピン２１と固定磁極１０との間に適切な張力でステータ巻線８の端線を引き渡すために、レゾルバ信号用端子ピン２１と固定磁極１０との間でステータ巻線８の端線の経路を中継する端線用渡りピン１６を、各レゾルバ信号用端子ピン２１毎に備えている。
【００２７】
ここで、本実施形態におけるステータ１には、第１絶縁部材４と一体に温度検出部４０のための保持部５０が形成され、この保持部５０に、別体に形成された温度検出部４０が保持されている。温度検出部４０は、ステータ１から突出するように、軸方向に沿って延在している。後述するように、ステータ１を用いたレゾルバは、温度検出部４０が突出する側をモータと対向させて、モータに取り付けられるものであり、温度検出部４０により動作中のモータの温度を検出するものである。
【００２８】
温度検出部４０は、図３及び図４（ａ）に示すように、温度検出素子であるサーミスタ４２と、一端側がサーミスタ４２のリード線４３、４３に接続されて他端側が板状に形成された一対の接続端子４１、４１と、サーミスタ４２をそのリード線４３、４３と一対の接続端子４１、４１との接続部４７、４７を含めて取り囲むハウジング４９とを備えており、ハウジング４９の内部には、図４（ｂ）に示すように、サーミスタ４２（及び接続部４７、４７）を封入するための樹脂材料４８が充填されている。
【００２９】
保持部５０は、図５に示すように、一対の板状の温度検出部用接続部３３、３３を備えており、この温度検出部用接続部３３、３３は、端子台１２の外周面１２ａから突出する温度検出信号用外部接続端子３２、３２に、第１絶縁部材４の内部で接続するものである。
【００３０】
そして、温度検出部４０と保持部５０とは、温度検出部４０の接続端子４１、４１と保持部５０の温度検出部用接続部３３、３３とを、好ましくは抵抗溶接により接合することによって、機械的及び電気的に接続されている。これによって、温度検出部４０によって検出された温度を、温度検出信号用外部接続端子３２、３２から電気信号として取り出すことができる。
【００３１】
尚、本発明は、温度検出部４０と第１絶縁部材４とを一体に設ける構成を含むものであるが、本実施形態のように、温度検出部４０を第１絶縁部材４とは別体に構成し、その接続端子４１，４１と、第１絶縁部材４に設けた保持部５０の温度検出部用接続部３３、３３とを、好ましくは溶接により、接合する構成とすることによって、温度検出部４０を第１絶縁部部材４と一体に設ける場合と比較して、第１絶縁部材４の成形が容易になるとともに、ステータ１から突出する温度検出部４０が構造的に強化されるものである。
【００３２】
また、本発明は、保持部５０を第１絶縁部材４と別体に設ける構成を含むものであるが、本実施形態のように、保持部５０を第１絶縁部材４と一体に設けた構成は、部品点数及び組立工数の低減、及び、保持部５０の強度の点で有利であることは言うまでもない。
【００３３】
さらに、本実施形態における温度検出部４０のように、ハウジング４９によってサーミスタ４２を囲むことによって、サーミスタ４０の固定及び物理的なダメージからのサーミスタ４２の保護が達成され、さらに、ハウジング４９内に樹脂材料４８を充填することによって、ハウジング４９内でのサーミスタ４０の振動を防止することが可能となる。その際、本実施形態のように、ハウジング４９内に、サーミスタ４９に加えて、比較的接合強度の弱いリード線４３、４３と接続端子４１、４１との接続部４７，４７も封止され、温度検出部４０と保持部５０との接続を、それぞれ接続端子４１，４１及び温度検出部用接続部３３，３３同士で行う構成は、例えば、図９に示す従来例のように、サーミスタ１３６、１３７、導線１３６、１３７、導線１３６、１３７との接続部スリップリング１４２との接続部を外部に露出させた構成と比較して、接続の安定性の点で有利なものである。
【００３４】
このような特徴は、接続端子４１，４１及び温度検出部用接続部３３，３３が板状に形成されており、お互いの接合面をより広い範囲にとることが可能になることにより、一層有利なものとなる。
【００３５】
ここで、温度検出信号用外部接続端子３２は、図６に示すように、温度検出信号用端子部３０として温度検出信号用端子ピン３１と一体に形成され、温度検出信号用外部接続端子３２は、温度検出信号用端子ピン３１の基端部付近から温度検出信号用端子ピン３１に対して略直交する方向に延在する板状の端子として形成されている。さらに、温度検出信号用端子部３０には、温度検出信号用端子ピン３１の基端部付近から温度検出信号用端子ピン３１の下方に設けた温度検出部用接続部３３も一体に形成されている。
【００３６】
さらに、本実施形態では、レゾルバ信号用端子ピン２１も、図７に示すように、レゾルバ信号用端子部２０として、レゾルバ信号用端子ピン２１と、レゾルバ信号用端子ピン２１の基端部付近からレゾルバ信号用端子ピン２１に対して略直交する方向に延在する板状のレゾルバ信号用外部接続端子２２と、レゾルバ信号用端子ピン２１の基端部付近から端子ピン２１と平行な方向に下方に延びる溶接用端子２３とが一体に形成されてなるものである。
【００３７】
これらの端子部２０、３０は、複数の端子ピン２１、３１がステータ１の周方向に沿って配置され、それぞれの外部接続用端子２２、３２の一部が端子台１２の外周面１２ａから突出するように、端子台１２に植設されている。すなわち、本実施形態では、温度検出信号用外部接続端子３２は、レゾルバ信号用外部接続端子３３と同様の形状を有するとともに、レゾルバ信号用外部接続端子３３と揃えられて端子台１２から突出するものである。したがって、例えば、レゾルバ信号用外部接続用端子２２と温度検出用外部接続端子３２とを一括してコネクタ等の外部の接続部品に勘合させることにより、部品点数を増やすことなくかつ容易に温度検出信号を外部に取り出すことができる。
【００３８】
また、本実施形態では、温度検出信号用端子ピン３１も、レゾルバ信号用端子ピン２１と揃えられて、ステータ１の軸方向に延在するものであり、この温度検出信号用端子ピン３１からも温度検出信号を取り出すことができる。これは、例えば、温度検出信号用外部接続端子３２を介して外部に取り出され、モータの制御に利用される信号とは別に、温度検出信号をモニターする必要がある場合等に有効に活用することができる。
【００３９】
尚、レゾルバ信号用端子部２０の場合、溶接用端子２３は、端子台１２の外周面１２ａに設けられた窓部１３（図２参照）から露出させることにより、レゾルバ信号用端子ピン２１に絡げたステータ巻線８をＴＩＧ溶接（タングステン不活性ガス溶接）等によって接合する際に、電極を接触させる端子として用いることができる。
【００４０】
図８に、本実施形態におけるステータ１を備えたレゾルバをモータに取り付けたときの状態を模式的に示す。図８に示すように、このレゾルバは、ステータ１からその軸方向に延在して突出する温度検出部４０が、モータステータ６０の複数のステータコイル部６２の間のいずれかに挿入されるように取り付けることができる。これによって、モータの温度、特に通電による発熱の管理が重要なステータコイル部６２の温度を、ステータコイル部６２の近傍に配置された温度検出部４０によって検出することが可能となる。この際、上述したように、温度検出部４０、温度検出信号用外部接続端子３２、及び、これらの間の導通を可能とる構造は、全てステータ１に組み込まれているため、モータ側に何ら付加的な要素を付加することなく、モータの温度検出が可能となるものである。
【００４１】
ここで、本実施形態におけるステータ１の各構成要素を形成するための好ましい材料について記せば、次の通りである。ステータコア２は、例えば珪素鋼板を積層してなるものであり、第１、第２絶縁部材４、５は、例えば６−６ナイロン等の合成樹脂を成形加工してなるものである。また、ステータ巻線８は、例えばφ＝０．１程度の銅線からなる。そして、レゾルバ信号用端子部２０及び温度検出信号用端子部３０は、例えばりん青銅からなり、好ましくはインサート成形等によって端子台１２に植設されるものである。
【００４２】
また、温度検出部４０において、接続端子４１、４１は例えばりん青銅から形成することができる。また、ハウジング４９内部に充填する樹脂材料４８は、温度検出の精度及び結露の発生の防止等に鑑みて、高熱伝導性の樹脂材料であることが好ましく、具体的にはエポキシ樹脂を用いることができる。但し、本発明は、各構成要素を構成する材料によって限定されるものではなく、各構成要素がその機能を果たすための任意の適切な材料を使用することができる。
【００４３】
ここで、本実施形態におけるステータ１において、端子台１２が第１絶縁部材４の周上に形成されており、端子台１２及び端子ピン２１がステータ１の軸方向に延在することの効果を説明すれば、次の通りである。すなわち、ステータ１では、その外周面１２ａが第１絶縁部材４の外周面４ａから突出することがなく、ステータ１（ひいては、ステータ１を含むレゾルバ）の外径以上に外方に突出する部分を実質的には含まないため、レゾルバが取り付けられる機器側に余分のスペースを要することなく取り付けることが可能となり、レゾルバが収容されて取り付けられる空間を有効に活用することができる。
【００４４】
上記「実質的には含まない」の記載について説明すると、本実施形態におけるステータ１は、端子部２０、３０の外部接続端子２２、３２がステータ１の外周面から僅かに突出する構成となっているが、これは、ステータ１を、その外部接続端子２２、３２をコネクタ等の外部の接続部品に勘合させることにより、外部との電気的接続をとることを想定した構成としたためである。そして、この場合、外部接続端子２２、３２がステータ１の外周面から突出する部分が占めるスペースは、上記接続部品を配置するために本来要するスペースであって、ステータ１（ひいては、ステータ１を含むレゾルバ）が占有するスペースを実質的に増大させるものではない。
【００４５】
さらに、本実施形態では、外部接続用端子２２を端子台１２の外周面１２ａから突出させるものとしたが、この構成は、外部との電気的接続をとるための構成の一例であって、本発明は、外部接続端子２２、３２が端子台１２の外周面１２ａから少なくとも露出しており、外部との電気的接続が可能な任意の適切な構成を含むものである。
【００４６】
また、ステータ１は、端子台１２が第１絶縁部材４の周上に形成されていることにより、その内周面１２ｂが固定磁極１０の上方に張り出すこともないように構成されている。これによって、上述したような省スペース化を実現しつつ、ステータ巻線８の固定磁極１０の巻回を、従来のステータと同様の方法により容易に実施することができる。
【００４７】
また、ステータ１のように、端子台１２を第１絶縁部材４と一体に形成することにより、部品点数及び組立工数を削減し、レゾルバのコストを低減させることが可能となる。また、端子台１２を第１絶縁部材４と一体に形成することは、端子台１２を構造的に強化する点でも有利である。
【００４８】
また、ステータ１では、端子部２０、３０において、端子ピン２１、３１と外部接続端子２２、３２が端子部２０、３０として一体に形成されていることによって、部品点数の削減及び組立工数が削減されるだけではなく、外部接続用端子２２、３２の端子台１２への固定も強固なものとなる。
【００４９】
尚、ステータ１では、レゾルバ信号用端子ピン２１、レゾルバ信号用外部接続端子２２、及び溶接用端子２３は端子部２０として、温度検出信号用端子ピン３１、温度検出信号用外部接続端子３２、及び温度検出部用接続部３３は、端子部３０として、それぞれ一体化されているが、本発明は、各端子部２０、３０の構成要素が全て電気的に接続されている限り、これらのいずれか又は全てを別体の部材として構成する場合を含むものである。
【００５０】
以上、本発明を好ましい実施形態によって説明したが、本発明は、上述した実施形態に限定されるものではなく、本発明の技術的思想の範囲内で種々の変形や応用が可能である。尚、上述した実施形態の説明において、説明の便宜のため、端子台１２を第１絶縁部材４に形成されるものとしたが、本発明に係るレゾルバのステータ構造において、端子台１２を第２絶縁部材５に設けてもよいことは、言うまでもない。
【図面の簡単な説明】
【００５１】
【図１】本発明の一実施形態におけるレゾルバのステータ構造を示す斜視図である。
【図２】本発明の一実施形態におけるレゾルバのステータ構造を示す正面図である。
【図３】本発明の一実施形態における温度検出部を示す斜視図である。
【図４】（a）は、図３に示す温度検出部の内部構成を示す図であり、（ｂ）は、（ａ）に示す温度検出部を、樹脂材料が充填された状態で示す図である。
【図５】本発明の一実施形態におけるレゾルバのステータ構造を、温度検出部のない状態で示す斜視図である。
【図６】本発明の一実施形態における温度検出信号用端子部を示す斜視図である。
【図７】本発明の一実施形態におけるレゾルバ信号用端子部を示す斜視図である。
【図８】本発明の一実施形態において、レゾルバが取り付けられたモータにおける温度検出の例を示す模式図である。
【図９】従来のレゾルバが取り付けられたモータにおける温度検出の例を示す断面図である。
【符号の説明】
【００５２】
１：ステータ、２：ステータコア、４：第１絶縁部材、４ａ：第１絶縁部材の外周面、４ｂ：第１絶縁部材の内周面、５：第２絶縁部材、６：磁極歯、７，９：磁極絶縁部、８：ステータ巻線、１０：固定磁極、１２：端子台、１２ａ：端子台の外周面、１２ｂ：端子台の内周面、１３：窓部、１４：渡りピン、１６：端線用渡りピン、２０：レゾルバ信号用端子部、２１：レゾルバ信号用端子ピン、２２：レゾルバ信号用外部接続端子、２３：溶接用端子、３０：温度検出信号用端子部、３１：温度検出信号用端子ピン、３２：温度検出信号用外部接続端子、３３：温度検出部用接続部、４０：温度検出部、４１：接続端子、４２：サーミスタ、４３：リード線、４７：リード線と接続端子との接続部、４８：樹脂材料、４９：ハウジング、５０：保持部、６０：モータステータ、６２：ステータコイル部
【図１】
2010127834.tif 000003
【図２】
2010127834.tif 000004
【図３】
2010127834.tif 000005
【図４】
2010127834.tif 000006
【図５】
2010127834.tif 000007
【図６】
2010127834.tif 000008
【図７】
2010127834.tif 000009
【図８】
2010127834.tif 000010
【図９】
2010127834.tif 000011